(57)【要約】臭化リチウム装置を有し真空ポンプを有しない自動排気装置及び自動排気方法に関する。この自動排気装置は、自動抽気装置、抽気室、気液分離室、貯気室を備え、臭化リチウム装置の溶液ポンプの出口管通路にバルブF1を設け、溶液ポンプとバルブF1との間にバルブF2を設け、排気給液管で貯気室に連結させ、吸気還流液兼用管にバルブF3を設け、貯気室の上端に閉液排気自動閉鎖性ゴム球弁およびバネ逆止め排気弁又は電磁弁、電動弁を設けている。本発明は有効的に機構の構造を簡略化し、運行の安定性を向上した。
2009511855.tif 000002
【特許請求の範囲】
【請求項１】
自動抽気装置、抽気室、気液分離室及び貯気室を備え、
前記自動抽気装置は吸気管を通して機構中の非凝縮性気体を前記抽気室に吸入させ、
前記抽気室から再び前記吸気管を通して前記非凝縮性気体を前記気液分離室に噴射し、
前記気液分離室中の気体を吸気し、還流液兼用管を通して前記貯気室に流入させ、
前記気液分離室中の溶液は管通路を通して機構内部に戻され、
臭化リチウム装置の溶液ポンプの出口管通路にバルブF1を設け、
前記溶液ポンプと前記バルブF1との間を排気給液管で前記貯気室に連結させ、
前記排気給液管中にバルブF2を設け、
前記貯気室と前記気液分離室との間を吸気し、
吸気還流液兼用管にバルブF3を設け、
前記貯気室の上端にバルブユニットを設けることを特徴とする、
臭化リチウム装置を有し真空ポンプを有しない自動排気装置。
【請求項２】
前記貯気室の上端に設置されるバルブユニットは、閉液排気自動閉鎖性ゴム球弁及びバネ逆止め排気弁を備え、電磁弁又は電動弁を増設し、
前記閉液排気自動閉鎖性ゴム球弁の弁体は、上側の円錐表面と下側の円錐表面とを有し、中間に自由に浮遊するゴム球を備え、
前記ゴム球の密度は溶液より小さいことを特徴とする、
請求項１に記載の臭化リチウム装置を有し真空ポンプを有しない自動排気装置。
【請求項３】
前記貯気室の中には気体が多い際、前記バルブF1及び前記バルブF3を閉鎖し、前記バルブF2を開放し、前記溶液ポンプを作動し、溶液を前記貯気室に圧入させ、圧縮された前記貯気室中の気体の圧力が大気圧より一定の値を上回ると、バネ逆止め排気弁が開放され、気体を自動で排出するステップと、
気体の排出が終了する際、前記閉液排気自動閉鎖性ゴム球弁のゴム球は上に浮遊し、上側の円錐表面との間が密閉され、溶液の噴出を防止し、気体が前記閉液排気自動閉鎖性ゴム球弁に流入されると、溶液は前記貯気室に圧縮され、還流され、該ゴム球が降下し、下側の円錐表面との間が密閉され、気体が前記貯気室に流入されることを防止し、排気過程を終了するステップと、
前記バルブF2を閉鎖し、前記バルブF1及び前記バルブF3を開放し、前記貯気室中の溶液が自重で落下することによって真空室が形成され、再び貯気でき、前記自動抽気装置は新たに抽気を開始することになるステップと、
を特徴とする請求項１又は２に記載の臭化リチウム装置を有し真空ポンプを有しない自動排気装置の制御方法。
【発明の詳細な説明】
【技術分野】
【０００１】
本発明は、自動排気装置及びその方法に関し、詳しくは、臭化リチウム装置を有し真空ポンプを有しない自動排気装置及びその方法に関する。
【背景技術】
【０００２】
臭化リチウム装置は、自動抽気装置を備えることができる。この臭化リチウム装置の多くは、内部の気体を大気に排出する際、パラジウム管又は機械真空ポンプを採用して実現されるが、パラジウムは貴金属であり、価格がとても高い。また、この臭化リチウム装置は、水素のみを抽出し、他の気体を抽出できない。更に、この臭化リチウム装置が漏洩する際、その冷却能力の低下及び腐食の被害を回避することが出来ない。真空ポンプは機構中の溶液の水分を水蒸気の形態で抽出させ、これらの水蒸気は真空中で液体化され、真空ポンプの油を乳化させる。若し油が無ければ、真空ポンプはリキッドハンマーの発生によって、抽気速度が低下し、最大圧力が上昇し、更に真空ポンプを腐食させ、故障させ、モーターを焼損させる事態を招くことがある。
【発明の開示】
【発明が解決しようとする課題】
【０００３】
本発明が解決しよう技術的課題は、前記従来技術の欠点に着目し、パラジウム管又は真空ポンプを必要とせず、従来技術と同様に内部空気を自動的に大気に排気することを実現でき、有効に機構の構造を簡略化でき、運行の安定性を向上できる臭化リチウム装置を有し真空ポンプを有しない自動排気装置及びその方法を提供するものである。
【課題を解決するための手段】
【０００４】
本発明が採用する技術的解決手段としては、臭化リチウム装置を有し真空ポンプを有しない自動排気装置である。この自動排気装置は、自動抽気装置、抽気室、気液分離室及び貯気室を備え、自動抽気装置は吸気管を通して機構中の非凝縮性気体を抽気室に吸入させ、抽気室から再び吸気管を通して非凝縮性気体を気液分離室に噴射し、気液分離室中の気体を吸入し、吸気還流液兼用管を通じて貯気室に流入させ、気液分離室中の溶液は管通路を通じて機構内部に戻される。本発明は臭化リチウム装置の溶液ポンプの出口管通路にバルブF1を設け、溶液ポンプとバルブF1との間を排気給液管で貯気室に連結させ、排気給液管中にバルブF2を設け、貯気室と気液分離室との間を吸気し、吸気還流液兼用管にバルブF3を設け、貯気室の上端にバルブユニットを設ける。
【０００５】
貯気室の上端に設置されるバルブユニットは、閉液排気自動閉鎖性ゴム球弁及びバネ逆止め排気弁を備え、電磁弁又は電動弁を増設し、閉液排気自動閉鎖性ゴム球弁の弁体は、上側の円錐表面と下側の円錐表面とを有し、中間に自由に浮遊するゴム球を備え、ゴム球の密度は溶液より小さい。
【０００６】
貯気室の中に気体が多い際、バルブF1及びバルブF3を閉鎖し、バルブF2を開放し、溶液ポンプを作動し、溶液を貯気室に圧入し、貯気室中の圧縮された気体の圧力が大気圧より一定の値を上回ると、バネ逆止め排気弁が開放され、気体が自動で排出する。気体の排出が終了する際、閉液排気自動閉鎖性ゴム球弁のゴム球は上に浮遊し、上側の円錐表面との間が密閉され、溶液の噴出を防止し、気体が閉液排気自動閉鎖性ゴム球弁に流入されると、溶液は貯気室に圧縮され、還流され、ゴム球が降下し、下側の円錐表面との間が密閉され、気体が貯気室に流入されることを防止し、排気過程が終了する。バルブF2を閉鎖し、バルブF1及びバルブF3を開放し、貯気室中の溶液が自重で落下することによって真空室が形成され、再び貯気でき、自動抽気装置は新たに抽気を開始することになる。
【発明の効果】
【０００７】
本発明は溶液と溶液ポンプを有する機構を利用し、バルブの動作によって溶液の流動方向を変更し、臭化リチウム装置を自動的排気させ、真空ポンプまたはパラジウム管を必要とせず、機構の構造を簡略化し、運行の安定性を向上した。パラジウムの価格はとても高い。また、水素のみを抽出でき、他の気体を抽出できず、機構が漏洩する際、冷却能力の低下及び腐食の欠点を回避した。また真空ポンプを採用する際、真空ポンプの油が乳化され又はリキッドハンマーが発生し、抽気速度が低下し、最大圧力が上昇し、真空ポンプが腐食され、故障し、モーターが焼損されるなどの問題を回避し、本発明は有効に機構の構造を簡略化し、運行の安定性を向上し、機構の技術的性能を向上した。
【発明を実施するための最良の形態】
【０００８】
図１に示すように、臭化リチウム装置を有し真空ポンプを有しない自動排気装置は、自動抽気装置、抽気室、気液分離室、貯気室を備え、自動抽気装置は吸気管１を通して機構中の非凝縮性気体を抽気室に吸入させ、抽気室から吸気管2を通して気液分離室に噴射し、気液分離室中の気体を吸気し、吸気還流液兼用管3を通して貯気室に流入させる。気液分離室中の溶液は、管通路4を通して機構内部に戻される。貯気室中の貯蔵した気体は多くなると大気に排出する必要がある。
【０００９】
図１に示すように、臭化リチウム装置の溶液ポンプ５の出口管通路にバルブF1を設け、溶液ポンプ５とバルブF1との間に排気給液管６を設けて貯気室と連結し、排気給液管６にバルブF2を設けて貯気室と気液分離室との間を吸気し、吸気還流液兼用管３にバルブF3を設け、貯気室の上端にバルブユニットを設けた。バルブユニットは、閉液排気自動閉鎖性ゴム球弁７およびバネ逆止め排気弁８を備え、電磁弁又は電動弁を増設することができる。
【００１０】
図２に示すように、閉液排気自動閉鎖性ゴム球弁７の弁体１２は上側の円錐表面９と下側の円錐表面１０を備え、中間に自由に浮遊するゴム球１１を備え、ゴム球１１の密度は溶液より小さい。バネ逆止め排気弁８はバネの圧力によって弁を開閉し、弁内部の圧力がバネの圧力を上回ると、弁は自動で開放し、そうでないと閉鎖する。
【００１１】
真空ポンプを有しない自動排気方法は下記のように行う。貯気室の中に気体が多い際、バルブF1とバルブF3とを閉鎖し、バルブF2及び溶液ポンプ５を開放し、溶液を貯気室に圧入する。貯気室中の気体が圧縮され、圧縮した気体の気圧が大気圧より一定の値を上回ると、バネ逆止め排気弁８が開放され、気体が自動で排出される。気体の排出が終了すると、溶液が閉液排気自動閉鎖性ゴム球弁のゴム球を上に浮遊させ、上側の円錐表面９との間が密閉され、溶液の噴出を防止する。外部の気体が閉液排気自動閉鎖性ゴム球弁に流入されると、溶液は貯気室に圧縮され、還流され、ゴム球は降下し、下側の円錐表面１０との間が密閉され、気体が貯気室に流入されることを防止し、排気過程が終了する。バルブF2を閉鎖し、バルブF1、バイブF3を開放すると、貯気室中の溶液が自重で落下することによって真空室が形成され、再び貯気でき、自動抽気装置は新たに抽気を開始することになる。
【図面の簡単な説明】
【００１２】
【図１】図１は本発明の構造の説明図である。
【図２】図２は本発明の閉液排気自動閉鎖性ゴム球弁の構造の説明図である。
【図１】
2009511855.tif 000003
【図２】
2009511855.tif 000004
【国際調査報告】
2009511855.tif 000005
2009511855.tif 000006